(57)【特許請求の範囲】
【請求項１】
一端部が閉塞されて有底円筒状に形成され化粧料を収容するための容器本体と、
該容器本体から化粧料を取り出して塗布するための塗布具と、
該容器本体の他端部である開口部に設けられ該塗布具に付着した化粧料の一部を擦り落すための払拭部とを有する塗布具付き容器において、
該塗布具は、柄部と、該柄部に延出した断面形状が円状の軸部と、該軸部に延出した基部および該基部に多数立設し該軸部の軸線に直角な方向の断面形状が山形状の櫛歯部を有する櫛部とを含み、
該軸部および該櫛部は同軸に設けられ、
該櫛部は、該基部を下にし、該櫛歯部を上に向けて配置した状態における該軸線に直角な方向の断面形状が、滴下するしずく状に形成され、該軸線に直角な方向の断面形状における幅が該軸部の径と同一の部分を含むとともに、該同一の部分以外の部分の幅が該軸部の径よりも小さく形成され、
該払拭部は、該軸部および該櫛部を挿脱可能に摺接する円状の開口が形成された開口部を有し、軟質ポリエチレン材料を用いて形成されてなることを特徴とする塗布具付き容器。
【請求項２】
前記容器本体に収容される化粧料は、平均粒径が５〜５０００μｍのパール材を１〜１５％含むことを特徴とする請求項１に記載の塗布具付き容器。
【請求項３】
前記パール材は、ラメ材であり、前記化粧料は、マスカラであることを特徴とする請求項２に記載の塗布具付き容器。
【発明の詳細な説明】
【０００１】
【発明の属する技術分野】
本発明は、塗布具と払拭部とを有する塗布具付き容器に関し、特に、ラメ材入りマスカラを睫毛に塗布するための塗布具付き容器に関する。
【０００２】
【従来の技術】
例えば、マスカラやアイライナー等のアイメークアップ用の化粧料が収容される容器は、化粧料を収容する容器本体とその容器本体を密閉する蓋体とで構成される。また、この蓋体には容器本体に収容された化粧料を取り出しこれを睫毛や眉等に塗布するための塗布具が設けられている（以下、このような容器を塗布具付き容器という。）。
【０００３】
この塗布具付き容器には、使用時に塗布具に付着する余剰の化粧料を払拭し、適正量とするために、容器本体の開口部に払拭部が設けられている。そして、容器本体から塗布具を取り出す際に、塗布具が払拭部に擦りつけられることによって塗布具に付着した余剰の化粧料が払拭され、使用する化粧料が適正な量に調整される。
【０００４】
例えば、化粧料としてマスカラを使用する場合、このような塗布具付き容器として、従来、図５に示すタイプや図６に示すタイプのものが用いられる。
【０００５】
図５の塗布具付き容器１ａの場合、塗布具２は、蓋体を兼用する柄部３と、軸部４と、軸部４に延出し軸部４より細径の芯線５ａに樹脂製の短繊維５ｂが植毛されたブラシ状の塗布部５とで構成される。この場合、各短繊維５ｂの先端部を包摂する外周面の径ｄ１は軸部４の径ｄ２よりも大きく形成されている。一方、容器本体６は、樹脂製の有底円筒状であり、容器本体６の開口部には容器底部に向けて収縮して突設された略円錐状の軟質ゴム製のしごき（払拭部）７が設けられ、しごきの先端部は塗布具２の軸部４の径よりわずかに小さい径の開口部７ａが形成され、この開口部７ａは外力に応じて拡縮可能とされている。この場合、より拡縮自在とするために、開口部７ａに容器底部に向けてスリットが形成されたものもある。
【０００６】
塗布具２は、しごき７の開口部７ａを挿通してマスカラの入った容器本体６に塗布部５および軸部４が収容されている。そして、マスカラが塗布部５および軸部４の外周全面に付着した塗布具２を容器本体６から引き出す際に、まず、軸部４の外周がしごき７の開口部７ａに擦りつけられて軸部４に付着した余剰のマスカラが擦り落され、軸部４の外周には殆どマスカラの付着がない状態とされる。さらに、塗布部５がしごき７の位置に至ると、塗布部５の外形形状に倣って変形したしごき７の開口部７ａに塗布部５の外周が擦りつけられて塗布部５の外周に付着した余剰のマスカラが擦り落され、塗布部５の短繊維５ｂ間の隙間や短繊維５ｂの表面に所定量のマスカラが保持される。
【０００７】
また、図６の塗布具付き容器１ｂの場合、図５の塗布具付き容器１ａと異なる点は、塗布具２の塗布部５が図５のブラシ状の形状に代えて基部５ｃに多数の櫛歯５ｄが立設された櫛状に形成されていることである。なお、この場合、櫛状の塗布部５で睫毛を梳き易いように塗布部５は軸部４の端部において図６中上方に折れ曲がった状態に取り付けられている。
【０００８】
図６の塗布具付き容器１ｂの場合においても上記図５の塗布具付き容器１ａの場合と同様に作用し、しごき７が塗布具２の形状に倣って自在に変形するために、塗布部５の主として側面に付着した余剰のマスカラが擦り落され、櫛歯５ｄ間の隙間に所定量のマスカラが保持される。
【０００９】
上記の塗布具付き容器１ａ、１ｂに収容されるマスカラには、固形状と液状のものとがあるが前者の固形状のものについては最近は殆ど使用されておらず、後者の液状のものが多く使用されている。液状のマスカラには、油系と水系とがあり、使用者の好みに応じて使い分けられる。
【００１０】
ところで、マスカラの中味として、睫毛を輝いて見せるために、金属光沢を有するラメ材を含むいわゆるラメ材入りマスカラが用いられることも多い。
【００１１】
【発明が解決しようとする課題】
上記のラメ材入りマスカラを睫毛に塗布する場合、睫毛全体を輝いてみせるためには、睫毛にラメ材を確実に付着させた状態でマスカラを均一に塗布する必要がある。
【００１２】
しかしながら、上記した従来の塗布具付き容器１ａ、１ｂでは、いずれも必ずしも好適な使用感を得ることができない。
【００１３】
すなわち、図５の塗布具付き容器１ａと図６の塗布具付き容器１ｂとを比較すると、前者の塗布具付き容器１ａの場合、塗布具２へのマスカラの付着量は比較的充分な量確保され、睫毛に充分な量マスカラを塗布することができるものの、睫毛を梳いた際にうまく梳いてさばくことができず、マスカラが睫毛を固めたり玉になってついたりする不具合が起こり得る。また、このとき、梳いてさばく動作を必要以上に繰り返すと、付着したラメ材が剥離するおそれがある。これに対して後者の塗布具付き容器１ｂの場合、睫毛を梳いた際にうまく梳いてさばくことができるものの、塗布具２へのマスカラの付着量が比較的少ないため、睫毛に充分な量塗布することできず、このため、睫毛に対するラメ材の付着量が少なくなるおそれがある。
【００１４】
本発明は、上記の課題に鑑みてなされたものであり、化粧料、特に、ラメ材入りマスカラのラメ材を確実に付着させた状態で均一に塗布して、輝きのあるメークを施すことができる塗布具付き容器を提供することを目的とする。
【００１５】
【課題を解決するための手段】
本発明に係る塗布具付き容器は、一端部が閉塞されて有底円筒状に形成され化粧料を収容するための容器本体と、該容器本体から化粧料を取り出して塗布するための塗布具と、該容器本体の他端部である開口部に設けられ該塗布具に付着した化粧料の一部を擦り落すための払拭部とを有する塗布具付き容器において、該塗布具は、柄部と、該柄部に延出した断面形状が円状の軸部と、該軸部に延出した基部および該基部に多数立設し該軸部の軸線に直角な方向の断面形状が山形状の櫛歯部を有する櫛部とを含み、該軸部および該櫛部は同軸に設けられ、該櫛部は該軸線に直角な方向の断面形状における幅が該軸部の径と同一の部分を含むとともに、該同一の部分以外の部分の幅が該軸部の径よりも小さく形成され、該払拭部は、該軸部および該櫛部を挿脱可能に摺接する円状の開口が形成された開口部を有し、該櫛部を挿脱する際に該開口部の原形状が維持される剛性材料で形成されてなることを特徴とする。
【００１６】
ここで、払拭部の剛性の度合いは、櫛部の剛性を勘案した上で、実験等により、櫛部を挿脱する際に開口部の原形状が維持される範囲内で適宜設定することができる。また、容器本体の形状は円筒状であると好適であるが、楕円筒状や中空の直方体状であってもよい。また、払拭部の開口形状は軸部の断面形状と同じ円状であると好適であるが、これに限らず、楕円状や矩形状等の他の形状を排除するものではない。なお、塗布具は、柄部、軸部および櫛部を一体的に形成したものであってもよく、また、相互に着脱可能に形成したものであってもよい。
【００１７】
これにより、塗布具を容器本体から引き出す際、まず、軸部が、対応する形状に形成された払拭部の開口部の開口に擦りつけられることにより軸部の外周に付着した化粧料が略全量擦り取られて櫛部の側に押し遣られる。ついで、櫛部が、払拭部の開口に擦りつけられることにより軸部から移動してきた化粧料および軸部の径と同一の寸法の幅を有する櫛部の部分の外側に付着した化粧料が軸部の径より小さい寸法の幅を有する櫛部の部分の外側に回り込んで付着し、その状態で櫛部が払拭部から引き抜かれる。したがって、櫛部には従来の塗布具の塗布部よりも多くの量の化粧料を付着させることができるため、従来よりも多量の化粧料を塗布することができるとともに、このとき、塗布具の塗布部が櫛状に形成されているため、化粧料を均一に塗布することができる。
【００１８】
この場合、前記塗布具の前記櫛部は、前記基部を下にし前記櫛歯部を上に向けて配置した状態における前記軸線に直角な方向の該櫛部の断面形状が、滴下するしずく状に形成されてなると、流線状に形成された基部の外周が払拭部の開口部と広い範囲で摺接するため基部に付着した余剰の化粧料を確実に擦り落すことができて、塗布具取り扱い上好ましく、また、櫛歯部が山形であるため、うまく梳いてさばくことができる。
【００１９】
また、この場合、前記払拭部は、樹脂材料により形成されてなると、塗布具を傷つけない程度の柔らかさと塗布具の余剰の化粧料を確実に擦り落すことが出来る程度の硬さを兼ね備えた材料を容易に選択することができ、好適である。但し、これに限らず、払拭部は硬質ゴムや金属等の材料を用いて形成してもよい。
【００２０】
また、本発明に係る塗布具付き容器において、前記容器本体に収容される化粧料は、平均粒径が５〜５０００μｍのパール材を１〜１５％、より好適には３〜１０％含む構成とすると、このパール材を確実に付着した状態で均一に化粧料を塗布して、輝きのあるメークを施すことができる。なお、パール材の配合量の％は重量％である。
【００２１】
ここで、パール材とは、メークアップ化粧料に配合される原料のうち光沢を有する有色粉粒状あるいは有色直方体状の原料をいい、天然あるいは合成の顔料や後述するラメ材を含む概念である。
【００２２】
前記パール材は、ラメ材であり、また、前記化粧料は、マスカラであると、いわゆるラメ材入りマスカラを好適に塗布して、輝きのあるアイメークを施すことができる。
【００２３】
ここで、ラメ材とは、金属光沢を有する略直方体状原料であり、アクリル系やポリエステル系等の樹脂フィルムに金属光沢のある色を着色し、これを細かに裁断したものをいう。
【００２４】
【発明の実施の形態】
本発明に係る塗布具付き容器の好適な実施の形態（以下、本実施の形態例という。）について、図を参照して、以下に説明する。
【００２５】
本実施の形態例に係る塗布具付き容器は、化粧料（中味）としてラメ材入りマスカラを容器本体に収容し、塗布具を用いて睫毛に塗布するためのものである。
ラメ材入りマスカラは、例えば、デキストリンやポリアクリル酸類等の増粘材を１０〜１５％程度含む水系マスカラの処方中に金属光沢を有する、一辺が５〜２００μｍ程度の略直方体状のラメ材を好適には３〜１０％程度加えたものである。したがって、この場合、ラメ材は、平均粒径換算でも約５〜２００μｍ程度である。
【００２６】
塗布具付き容器１０は、図１（ｂ）の一部破断した側面図に示すように、容器本体１２と、塗布具１４とで略構成される。
【００２７】
容器本体１２は、例えば、透明な樹脂材料を用いて、一端部が閉塞して底部とされ、他端部が縮径されるとともに開口部１２ａを有する段差のある円筒状に形成されている（図１（ａ）参照）。開口部１２ａの外周にはねじが切られている。なお、容器本体１０の材料として金属類を用いてもよい。
【００２８】
一方開口部１２ａの内側には、容器本体１２の底側に向けて（図１（ｂ）中Ｘ１方向に向けて）先端部が円錐状に縮径された円筒状のしごき（払拭部）１６が固着されている。しごき１６は、例えば、軟質ポリエチレン樹脂材料を用いて形成され、縮径された円錐状先端部である開口部１６ａは円状の開口を有する。図２に示すように、開口部１６ａの開口の径Ｄ１は後述する塗布具１４を挿脱可能に摺接するのに適した、塗布具１４の軸部２０の径Ｄ２よりも僅かに大きな寸法とされている。
【００２９】
軟質ポリエチレン樹脂材料からなるしごき１６は、軟質ゴム等との比較において剛性材料であるといってよく、加えた荷重に対する変形量が小さい。したがって、しごきに軟質ゴム材料を用いた場合は、例えば、塗布具１４の柄部１８を図１（ｂ）中下側（Ｙ２方向）に傾けた状態で容器本体１２から引き出すときに、開口部１６ａが塗布具１４の各部の形状に倣って変形するとともに、さらに、Ｙ１−Ｙ２方向に変形するが、一方、本発明の開口部１６ａの形状は挿脱する塗布具１４の軸部２０、櫛部２２の形状変化に倣って変化することは殆どなく、また、塗布具１４の引き出し方向に沿って変化することも殆どない。
【００３０】
なお、開口部１６ａの開口の形状は、円に代えて楕円あるいは矩形であってもよく、この場合、容器本体１２および塗布具１４の形状を考慮し、本発明の効果を奏することを実験等により確認した上で所望の形状さらには所望の寸法を適宜設定することができる。
【００３１】
塗布具１４は、例えば、ポリブチレンテレフタレート樹脂材料を用いて形成され、柄部１８と、軸部２０と、櫛部２２とで構成される。なお、塗布具１４は、金属等の他の材料を用いて形成してもよい。
【００３２】
柄部１８は、使用者が手指で塗布具１４を把持するための部分であり、この場合、内蓋１８ａおよび外蓋１８ｂからなり容器本体１２の開口部１２ａを閉塞するための蓋体を兼用した構成とされ、柄部１８の内蓋１８ａの内側に形成したねじと容器本体１２の開口部１２ａの外側に形成した前記ねじとが係合する。
【００３３】
軸部２０は、円柱状、すなわち、断面形状が円状に形成され、この場合、柄部１８の端部に柄部１８と同軸に軸部２０の一端部が固着され、図１（ｂ）中Ｘ１方向に延出している。図２に示す軸部２０の径Ｄ２は、上記したようにしごき１６の開口の径Ｄ１より僅かに小さい寸法とされている。
【００３４】
櫛部２２は、軸部２０と同軸に一体的に形成される。櫛部２２は、軸部２０に図１（ｂ）中Ｘ１方向に延出する基部２４と、基部２４に図１（ｂ）中Ｙ１方向に多数立設した櫛歯部２６ａ〜２６ｎとで構成される。言いかえれば、櫛部２２は、軸スリット状に形成されている。櫛部２２は、図１（ｂ）中Ｘ１方向側からみた断面形状、すなわち、軸部２０の軸線に直角な方向の断面形状が、図１（ｂ）中Ｙ１方向からＹ２方向に向けて滴下するしずく状、あるいは涙（tear  or  teardrop）状に形成されている（図１（ａ）、図２の部分図ＩＩ−ＩＩ参照）。すなわち、櫛部２２の断面形状は、基部２４の外周が流線形あるいは略半円状であり、櫛歯部２６ａ〜２６ｎの外周が、図１（ｂ）中Ｙ１方向に隆起した山形状である。
【００３５】
上記した断面形状を有する櫛部２２は、図２の部分図ＩＩ−ＩＩに示すように、櫛歯部２６ｉ（２６ａ〜２６ｎ）の高さ方向に向けた長さ、言いかえれば、断面形状における幅Ｗ１が最大寸法を有し、この幅Ｗ１は軸部２０の径Ｄ２と略同一である。一方、櫛歯部２６ａ〜２６ｎの高さ方向以外の方向の長さ、言いかえれば、断面形状における、例えば、幅Ｗ２は、幅Ｗ１よりも小さい。
【００３６】
上記のように構成される塗布具付き容器１０の作用効果について以下説明する。
【００３７】
ラメ材入りマスカラを塗布しないとき、塗布具付き容器１０は、ラメ材入りマスカラを収容した容器本体１２を塗布具１４の柄部１８で閉塞し、櫛部２２および軸部２０の一部をラメ材入りマスカラ中に浸漬した状態とされている。
【００３８】
このとき、塗布具１４の軸部２０の長さ方向の一部は、図３（ａ）に示すように、断面形状円状の外周の全面に参照符号２８で示すラメ材入りマスカラが略一定の厚みＴ１で付着した状態とされている。一方、櫛部２２も、図４（ａ）に示すように、断面形状しずく状の外周の全面ににラメ材入りマスカラ２８が略一定の厚みＴ２で付着した状態とされている。すなわち、櫛部２２は、基部２４の背部Ｎ（図２ＩＩ−ＩＩおよび図４（ａ）中下方向端部）および櫛歯部２６ａ〜２６ｎの頂部Ｐ（図２ＩＩ−ＩＩおよび図４（ａ）中上方向端部）ならびに左右側面部Ｓ１、Ｓ２（図２ＩＩ−ＩＩおよび図４（ａ）中左右両側）にいずれもラメ材入りマスカラ２８が略同一の厚みＴ２で均一に付着した状態にある。また、図示しないが各櫛歯部２６ａ〜２６ｎ間の隙間にもラメ材入りマスカラ２８が付着し、保持されている。なお、厚みＴ１と厚みＴ２は略同じである。
【００３９】
ラメ材入りマスカラ２８を塗布するとき、塗布具付き容器１０は、塗布具１４の柄部１８を手指で把持され、図１中Ｘ２方向に、塗布具１４が、軸部２０、櫛部２２の順に容器本体１２から引き抜かれる。
【００４０】
まず、塗布具１４は軸部２０の外周がしごき１６の開口部１６ａの開口に摺動し、軸部２０に付着したラメ材入りマスカラ２８が、図１中Ｘ１方向に擦り取られて、押し遣られる。このとき、図３（ｂ）に示すように、軸部２０の外周からラメ材入りマスカラ２８が略全量剥離し、櫛部２２の外周に押しやられるとともに、ラメ材入りマスカラ２８の一部は直接にあるいは内壁を伝って容器本体１２内に落下する。軸部２０は、外周にラメ材入りマスカラ２８の付着が殆どない状態とされる。
【００４１】
ついで、塗布具１４は櫛部２２の外周がしごき１６の開口部１６ａの開口に摺動し、櫛部２２の外周に付着したラメ材入りマスカラ２８が、図１中Ｘ１方向に擦り取られる。このとき、図４（ｂ）に示すように、基部２４の背部Ｎおよび櫛歯部２６ａ〜２６ｎの頂部Ｐに付着したラメ材入りマスカラ２８が略剥離し、図４（ｂ）中矢印で示すように、左右側面部Ｓ１、Ｓ２に回り込むとともに、ラメ材入りマスカラ２８の一部は直接にあるいは内壁を伝って容器本体１２内に落下する。
したがって、塗布具１４は、軸部２０および櫛部２２の基部２４の背部Ｎおよび櫛歯部２６ａ〜２６ｎの頂部Ｐに付着したラメ材入りマスカラ２８が確実に除去されて、ラメ材入りマスカラ２８の付着のない状態とされる。一方、しごき１６によって擦り取られた軸部２０および櫛部２２の余剰のラメ材入りマスカラ２８が塗布具１４から完全に取り除かれることなく櫛部２２の左右側面部Ｓ１、Ｓ２に付着し、保持されるため、塗布具１４は、櫛部２２の左右側面部Ｓ１、Ｓ２およびしごき１６に触れることのない櫛歯部２６ａから２６ｎ間の隙間に多量のラメ材入りマスカラ２８が付着した状態とされる。
【００４２】
このようなラメ材入りマスカラ２８付着状態にある塗布具１４を用いてラメ材入りマスカラ２８を睫毛に塗布すると、従来よりも多くのラメ材入りマスカラ２８を塗布することができるとともに、このとき、櫛部２２により、化粧料を均一に塗布することができる。したがって、ラメ材が睫毛によく載った状態でうまく梳いてさばくことができ、輝いたアイメークを施すことができる。
【００４３】
【発明の効果】
請求項１に係る塗布具付き容器によれば、塗布具は、断面形状が円状の軸部と、基部および櫛歯部を有する櫛部とを含み、軸部および櫛部は同軸に設けられ、櫛部は軸線に直角な方向の断面形状における幅が軸部の径と同一の部分を含むとともに、同一の部分以外の部分の幅が軸部の径よりも小さく形成され、払拭部は、軸部および櫛部を挿脱可能に摺接する円状の開口が形成された開口部を有し、軟質ポリエチレン材料を用いて形成されてなるため、従来よりも多量の化粧料を塗布することができるとともに、化粧料を均一に塗布することができる。
【００４４】
また、請求項１に係る塗布具付き容器によれば、櫛部は、基部を下にし、櫛歯部を上に向けて配置した状態における軸線に直角な方向の櫛部の断面形状が、滴下するしずく状に形成されてなるため、基部に付着した余剰の化粧料を確実に擦り落すことができて、塗布具取り扱い上好ましく、また、櫛歯部が山形であるため、うまく梳いてさばくことができる。
【００４５】
また、請求項１に係る塗布具付き容器によれば、払拭部は、軟質ポリエチレン材料を用いて形成されてなるため、塗布具を傷つけない程度の柔らかさと塗布具の余剰の化粧料を確実に擦り落すことが出来る程度の硬さを兼ね備える。
【００４６】
また、請求項２に係る塗布具付き容器によれば、容器本体に収容される化粧料は、平均粒径が５〜５０００μｍのパール材を１〜１５％含む構成であるため、このパール材を確実に付着した状態で均一に化粧料を塗布して、輝きのあるメークを施すことができる。
【００４７】
また、請求項３に係る塗布具付き容器によれば、パール材は、ラメ材であり、また、化粧料は、マスカラであるため、いわゆるラメ材入りマスカラを好適に塗布して、輝きのあるアイメークを施すことができる。
【図面の簡単な説明】
【図１】本実施の形態例に係る塗布具付き容器を説明するためのものであり、図１（ａ）は図１（ｂ）中（ａ）−（ａ）線上断面図であり、図１（ｂ）は塗布具付き容器を一部破断して示す側面図である。
【図２】本実施の形態例に係る塗布具付き容器の塗布具およびしごきを一部省略して示す斜視図である。
【図３】本実施の形態例に係る塗布具付き容器の塗布具へのラメ材入りマスカラの付着状態を説明するためのものであり、図３（ａ）は容器本体中に収容された軸部の断面を示し、図３（ｂ）は容器本体から引き出された軸部の断面を示す。
【図４】本実施の形態例に係る塗布具付き容器の塗布具へのラメ材入りマスカラの付着状態を説明するためのものであり、図４（ａ）は容器本体中に収容された櫛部の断面を示し、図４（ｂ）は容器本体から引き出された櫛部の断面を示す。
【図５】従来の塗布具付き容器の一例の斜視図である。
【図６】従来の塗布具付き容器の他の一例の斜視図である。
【符号の説明】
１０  塗布具付き容器
１２  容器本体
１２ａ、１６ａ  開口部
１４  塗布具
１６  しごき
１８  柄部
２０  軸部
２２  櫛部
２４  基部
２６ａ〜２６ｎ  櫛歯部
２８  ラメ材入りマスカラ
【図１】
0004153144.tif 000002
【図２】
0004153144.tif 000003
【図３】
0004153144.tif 000004
【図４】
0004153144.tif 000005
【図５】
0004153144.tif 000006
【図６】
0004153144.tif 000007